(57)【要約】【課題】パネルを構成した場合、シール材の摩耗劣化や損傷を抑制可能、高い防水性を発揮可能であり、パネル部材間に隙間が生じ難く、振動によって嵌合部のシール性が低下し難い、強固な連結構造を構成可能なパネル部材を提供する。【解決手段】パネル部材１は、メインパネル部２の幅方向一端に第１嵌合部３、他端に第２嵌合部４を有する。第１嵌合部３は、パネル表面部２１の一端より突出する表面側突片３１、表面側突片３１の基端より延設された垂直壁３２、垂直壁３２の途中より突出する中間突片３６、表面側突片３１と中間突片３６とに挟持されるシール材３３を有する。第２嵌合部４は、パネル表面部２１の他端より延設され、嵌合時に表面側突片３１の先端にその先端が突き当てられる表面側延設片４１、表面側延設片４１の先端より延設され、嵌合時にシール材３３を押圧する押圧片４２、嵌合時に中間突片３６に係合する係合片４２１を有する。【選択図】図５
2015009782.tif 000002
【特許請求の範囲】
【請求項１】
パネル表面部を備えるメインパネル部の幅方向の一端に第１嵌合部を、幅方向の他端に第２嵌合部を有するパネル部材の上記第１嵌合部を隣接する上記パネル部材の上記第２嵌合部と嵌合させることにより複数の上記パネル部材を連結して幅広のパネルを構成するために用いられ、
上記第１嵌合部は、上記パネル表面部の一端より該パネル表面部の延長線上に突出する表面側突片と、該表面側突片の基端より部材厚み方向内方に延設された垂直壁と、該垂直壁の途中より部材面方向外方に向かって上記表面側突片と略平行に突出する中間突片と、上記表面側突片および上記中間突片の先端よりも部材面方向外方に突出した状態で、上記表面側突片と上記中間突片とによって挟持されているシール材とを有しており、
上記第２嵌合部は、上記パネル表面部の他端より該パネル表面部の延長線上に延設されるとともに、上記嵌合時に、隣接する上記第１嵌合部における上記表面側突片の先端にその先端が突き当てられる表面側延設片と、該表面側延設片の先端より部材厚み方向内方に延設されるとともに、上記嵌合時に、隣接する上記第１嵌合部における上記シール材を押圧する押圧片と、該押圧片の先端に設けられるとともに、上記嵌合時に、隣接する上記第１嵌合部における上記中間突片に係合する係合片とを有していることを特徴とするパネル部材。
【請求項２】
上記第１嵌合部は、上記垂直壁の先端より部材面方向外方に向かって上記表面側突片と略平行に延設された裏面側延設片と、該裏面側延設片より部材厚み方向内方に向かって延設された案内片とを有しており、
上記第２嵌合部は、上記表面側延設片より部材厚み方向内方に向かって延設され、上記嵌合時に、その側面が上記案内片に当接しながら上記案内片によって案内される脚片を有していることを特徴とする請求項１に記載のパネル部材。
【請求項３】
上記脚片は、部材面方向内方側の側面が上記案内片に当接しながら上記案内片によって案内されるよう構成されていることを特徴とする請求項１または２に記載のパネル部材。
【請求項４】
上記脚片は、部材厚み方向内方に向かうにつれ、上記脚片の基端における上記表面側延設片の垂線から先端が離れるように湾曲していることを特徴とする請求項２または３に記載のパネル部材。
【請求項５】
上記案内片は、先端における部材面方向内方側の面に上記脚片の案内を促す傾斜面を有していることを特徴とする請求項２〜４のいずれか１項に記載のパネル部材。
【請求項６】
上記メインパネル部は、上記パネル表面部と離間して略平行に配置され、上記パネル表面部と表裏の対をなすパネル裏面部を有していることを特徴とする請求項１〜５のいずれか１項に記載のパネル部材。
【請求項７】
上記パネル表面部と上記パネル裏面部との間は複数のリブによって連結されていることを特徴とする請求項６に記載のパネル部材。
【発明の詳細な説明】
【技術分野】
【０００１】
本発明は、パネル部材に関する。
【背景技術】
【０００２】
従来、様々な分野において、金属（合金含む）等からなるパネル部材を複数枚連結して形成した幅広のパネルが使用されている。例えば、トラック等の車両の荷台における床面などを構成するため、アルミニウム合金製のパネル部材を複数枚連結したパネルが使用されている。
【０００３】
具体的には、例えば、特許文献１には、係止部および係合部が幅方向両端に形成されたアルミ押出し形材製のパネル部材の係止部を隣接するパネル部材の係合部と嵌め合わせることにより複数のパネル部材を連結したトラック用床面パネルが開示されている。同文献には、シール材の平坦なベースがパネル側面側に配置されるようにシール材を係止部に装着し、係合部に設けた突起部の端面をシール材のベースに押し付けることにより、隣り合うパネル部材を気密連結する点が記載されている。
【０００４】
また同様に、例えば、特許文献２には、一方のパネル部材の係止部と隣接する他方のパネル部材の係合部とを嵌め合わせてトラック用床面パネルを構成するに際し、係止部の突出部と係合部の突き合わせ部との間にシール材を介装することにより、気密な連結部を形成する点が開示されている。
【先行技術文献】
【特許文献】
【０００５】
【特許文献１】特許３２３２５３４号公報
【特許文献１】特開２０００−１０８９５２号公報
【発明の概要】
【発明が解決しようとする課題】
【０００６】
しかしながら、従来のパネル部材は、以下の点で問題がある。すなわち、特許文献１および２のパネル部材は、パネルを構成した場合に、いずれもシール材の端部がパネル面に露出する。そのため、シール材の摩耗劣化や損傷が生じやすく、シール材の耐久性に劣る。特に、トラックの床面パネルにこれらのパネル部材を適用した場合は、荷物用のパレットや荷役作業者の靴、砂やゴミなどの異物等との摩擦によってシール材が摩耗劣化したり、損傷したりしやすい。そのため、この場合は、特に、シール材の耐久性に問題が生じやすい。また、シール材の摩耗劣化や損傷が生じた場合には、防水性が低下し、パネル部材のがたつきにつながるおそれもある。また、連結部のパネル部材間に隙間があるため、トラックの走行中等における振動により、パネル部材間に擦り合う力が働き、当該部に摩耗が生じてがたつきが大きくなり、嵌合が緩くなってシール性が低下するおそれもある。
【０００７】
本発明は、上記背景に鑑みてなされたものであり、パネルを構成した場合に、シール材の摩耗劣化や損傷を抑制可能、高い防水性を発揮可能であり、パネル部材間に隙間が生じ難く、振動によって嵌合部のシール性が低下し難い、強固な連結構造を構成可能なパネル部材を提供しようとして得られたものである。
【課題を解決するための手段】
【０００８】
本発明の一態様は、パネル表面部を備えるメインパネル部の幅方向の一端に第１嵌合部を、幅方向の他端に第２嵌合部を有するパネル部材の上記第１嵌合部を隣接する上記パネル部材の上記第２嵌合部と嵌合させることにより複数の上記パネル部材を連結して幅広のパネルを構成するために用いられ、
上記第１嵌合部は、上記パネル表面部の一端より該パネル表面部の延長線上に突出する表面側突片と、該表面側突片の基端より部材厚み方向内方に延設された垂直壁と、該垂直壁の途中より部材面方向外方に向かって上記表面側突片と略平行に突出する中間突片と、上記表面側突片および上記中間突片の先端よりも部材面方向外方に突出した状態で、上記表面側突片と上記中間突片とによって挟持されているシール材とを有しており、
上記第２嵌合部は、上記パネル表面部の他端より該パネル表面部の延長線上に延設されるとともに、上記嵌合時に、隣接する上記第１嵌合部における上記表面側突片の先端にその先端が突き当てられる表面側延設片と、該表面側延設片の先端より部材厚み方向内方に延設されるとともに、上記嵌合時に、隣接する上記第１嵌合部における上記シール材を押圧する押圧片と、該押圧片の先端に設けられるとともに、上記嵌合時に、隣接する上記第１嵌合部における上記中間突片に係合する係合片とを有していることを特徴とするパネル部材にある。
【発明の効果】
【０００９】
上記パネル部材は、上述した構成を有している。そのため、上記パネル部材は、パネル部材の第１嵌合部と隣接するパネル部材の第２嵌合部とを互いに嵌合させることにより複数のパネル部材を連結して幅広のパネルを構成した場合に、次のような作用効果を奏することができる。
【００１０】
すなわち、一方のパネル部材の第１嵌合部と隣接する他方のパネル部材の第２嵌合部とを嵌合させると、第１嵌合部における表面側突片の先端に、隣接する第２嵌合部における表面側延設片の先端が突き当てられ、表面側突片の先端と表面側延設片の先端とが互いに当接した状態となる。また、シール材は、表面側突片より部材厚み方向内方に配設されているので、上記当接した状態では、表面側突片の先端と表面側延設片の先端との当接部分よりも部材厚み方向内方に配置される。この際、表面側延設片の先端より部材厚み方向内方には、隣接する第１嵌合部のシール材を押圧する押圧片が設けられている。そして、シール材は、垂直壁より部材面方向外方に配設されているので、押圧片によって押圧されると、第１嵌合部における垂直壁と第２嵌合部における押圧片との間に挟持された状態となる。つまり、パネルを構成した場合に、シール材は、第１嵌合部と第２嵌合部との嵌合部の内部に収容され、パネル面に露出しない。そのため、上記パネル部材は、パネルを構成した場合に、シール材が摩耗劣化したり、損傷したりするのを抑制することができる。また、シール材の摩耗劣化や損傷による嵌合部のがたつきも発生し難い。
【００１１】
また、パネル面に付着した水の浸入は、表面側突片の先端と表面側延設片の先端との当接部分からの毛細管現象によるごく僅かな量に留まる。そして、嵌合部の内部にあるシール材は、その僅かな量の水を止水するだけで足りる。つまり、上記パネル部材は、シール材のみで止水しているのではなく、シール材は補完的な役割で足りる。このように上記パネル部材は、上述した表面側突片の先端と表面側延設片の先端との当接による防水効果と、シール材による防水効果との相乗効果により、高い防水性を発揮することができる。
【００１２】
また、上記パネル部材は、表面側突片と中間突片との間にシール材が予め固定されているので、第１嵌合部と第２嵌合部との嵌合作業を行いやすい利点もある。また、シール材は、表面側突片および中間突片の先端よりも部材面方向外方に突出した状態で、表面側突片と中間突片とによって挟持されている。そのため、上記パネル部材は、押圧片によってシール材を過度に押圧することなく適度な押圧力にてシール材を押圧することができる。それ故、上記パネル部材は、嵌合後にシール材のヘタリが少なくなり、シール材の弾性力を長期にわたって維持しやすく、長期にわたって防水性を発揮するのに有利である。
【００１３】
また、上記嵌合時に、一方のパネル部材における第１嵌合部の中間突片と、隣接する他方のパネル部材における第２嵌合部の係合片とが係合する。そのため、上記嵌合後、係合片と繋がる押圧片が部材厚み方向に移動し難く、第１嵌合部と第２嵌合部との間の部材厚み方向のがたつきを抑制しやすくなる。それ故、上記パネル部材は、パネル部材間に隙間が生じ難い。また、上記パネル部材は、振動によってパネル部材間に擦り合う力が働き難く、当該部が摩耗してがたつきが大きくなるとともに嵌合が緩くなってシール性が低下するのを回避することができる。
【００１４】
よって、本発明によれば、パネルを構成した場合に、シール材の摩耗劣化や損傷を抑制可能、高い防水性を発揮可能であり、パネル部材間に隙間が生じ難く、振動によって嵌合部のシール性が低下し難い、強固な連結構造を構成可能なパネル部材を提供することができる。
【図面の簡単な説明】
【００１５】
【図１】実施例１のパネル部材の外観斜視図である。
【図２】実施例１のパネル部材を幅方向に複数連結したパネルの部分断面図である。
【図３】実施例１のパネル部材における第１嵌合部を示す断面図である。
【図４】実施例１のパネル部材における第２嵌合部を示す断面図である。
【図５】実施例１のパネル部材同士を嵌合させる手順を説明するための説明図である。
【図６】実施例１のパネル部材における各部位の寸法を説明するための説明図である。
【図７】実施例２のパネル部材の断面図である。
【図８】実施例２のパネル部材同士を嵌合させる手順を説明するための説明図である。
【発明を実施するための形態】
【００１６】
上記パネル部材は、幅方向に沿った断面でみて、部材幅を二等分する中央線の方向側を部材面方向内方、これと反対の方向側を部材面方向外方とする。また、幅方向に沿った断面でみて、部材厚みを二等分する中央線の方向側を部材厚み方向内方、これと反対の方向側を部材厚み方向外方とする。また、パネルを構成した時にパネルを取り付ける根太等がある側を裏面側とする。
【００１７】
上記パネル部材において、第１嵌合部は、垂直壁の先端より部材面方向外方に向かって表面側突片と略平行に延設された裏面側延設片と、裏面側延設片より部材厚み方向内方に向かって延設された案内片とを有しており、第２嵌合部は、表面側延設片より部材厚み方向内方に向かって延設され、嵌合時に、その側面が案内片に当接しながら案内片によって案内される脚片を有している構成とすることができる。
【００１８】
この場合は、一方のパネル部材の第１嵌合部と隣接する他方のパネル部材の第２嵌合部とを嵌合させる際に、第１嵌合部における表面側突片の先端に第２嵌合部における表面側延設片の先端を当接させつつ、他方のパネル部材におけるパネル表面部が一方のパネル部材におけるパネル表面部の延長線上となるように他方のパネル部材を半回転させると、脚片は、案内片に当接しながら滑りつつ案内片によって案内される。そのため、第２嵌合部の押圧片を第１嵌合部のシール材に押し付ける際の押圧力を容易に発生させることができる。それ故、この場合は、第１嵌合部と第２嵌合部との嵌合部に積極的に押圧力を加えることができ、押圧片よるシール材の押圧と、表面側突片の先端と表面側延設片の先端との当接とを確実なものとすることができる。また、この場合は、案内片と脚片との掛かり合いによって部材面方向の移動が規制されるので、嵌合部の部材面方向のがたつきを抑制しやすくなる。さらに、裏面側延設片より部材厚み方向内方に向かって案内片が延設されているので、万一、シール材が切れて水が浸入してきたとしても、浸入してきた水は案内片によって堰き止められる。つまり、案内片は、浸入してきた水を堰き止める堤防として機能することもできる。それ故、この場合は、パネル裏面側への水の漏洩を阻止しやすく、二次的防水の役割も果たすことができ、複数の防水構造によって防水性をより高めることができる。
【００１９】
上記パネル部材において、脚片は、部材面方向内方側の側面が案内片に当接しながら案内片によって案内されるように構成することができる。
【００２０】
この場合は、第２嵌合部の押圧片を第１嵌合部のシール材に押し付ける際の押圧力を比較的容易に得やすい利点がある。
【００２１】
上記パネル部材において、脚片は、部材厚み方向内方に向かうにつれ、脚片の基端における表面側延設片の垂線から先端が離れるように湾曲している構成とすることができる。
【００２２】
この場合は、脚片が案内片に滑りながら案内されやすくなる。また、第２嵌合部の押圧片を第１嵌合部のシール材に押し付ける際の押圧力を大きくしやすい利点がある。
【００２３】
上記パネル部材において、案内片は、先端における部材面方向内方側の面に脚片の案内を促す傾斜面を有する構成とすることができる。
【００２４】
この場合は、一方のパネル部材の第１嵌合部と隣接する他方のパネル部材の第２嵌合部とを嵌合させる際に、案内片の傾斜面により、脚片の側面が、案内片に当接しながら滑りつつ案内片によって案内されやすくなる。それ故、この場合は、嵌合動作を円滑に実施しやすく、第１嵌合部と第２嵌合部とを嵌合させやすくなる。
【００２５】
上記パネル部材において、メインパネル部は、パネル表面部と離間して略平行に配置され、パネル表面部と表裏の対をなすパネル裏面部を有する構成とすることができる。
【００２６】
この場合は、パネル表面部およびパネル裏面部によって中空状に構成されたパネル部材が得られる。また、このパネル部材は、反り等を抑制しやすい。
【００２７】
さらに、上記において、パネル表面部とパネル裏面部との間が複数のリブによって連結されている構成とすることができる。
【００２８】
この場合は、複数のリブにより、メインパネル部が補強されるので、メインパネル部の面強度が向上する。そのため、この場合は、パネル部材の厚みを薄くしやすくなる。それ故、この場合は、トラック等における車両の荷台など、スペースが限られている空間のパネルを構成する場合に、パネル以外の部分の空間容積を大きくしやすく、空間の有効利用を図りやすくなる。なお、パネル部材の厚みは、８〜１０ｍｍとすることができる。また、リブは、必要な強度を確保することができるように幅方向に最適な数を設けることができる。
【００２９】
上記パネル部材を用いて構成されるパネルは、特に制限なく各種の場所に適用することができる。具体的には、例えば、上記パネル部材を用いて構成されるパネルは、トラック等の車両の荷台の床面、調理室の床面などとして好適に用いることができる。とりわけ、上記トラックが冷凍車であり、その荷台が冷凍庫である場合は、冷凍状態から常温にした場合に、氷が溶けた際の水や結露水が発生し、床面が水によって覆われやすい。そのため、上記効果を十分に発揮することができる。
【００３０】
また、上記パネル部材が、上述したパネル裏面部、リブを有する場合は、メインパネル部の面強度向上によりパネル部材を薄くできるので、冷凍庫内の容積をできるだけ広く取り、少しでも荷物を多く積載したいというトラックユーザーのニーズを満たしやすくなる。
【００３１】
上記パネル部材は、その他にも、余分な部材（連結ピン等）を用いることなく、隣接するパネル部材同士を連結することができる。また、上記パネル部材は、嵌合部の遊びやがたつきが少ないので、例えば、トラックの走行等による衝撃や振動に対しても高い防水性を発揮することができる。また、上記パネル部材は、上述のように嵌合することによって隣接するパネル部材同士を簡単に連結することができる。そのため、溶接作業が不要であり、パネルの張り替えを容易に行うことができる。また、溶接や連結ピン挿入のための自動化や機械化なども不要となり、設備費を抑制することができるので、低コスト化にも寄与することができる。
【００３２】
なお、上述した各構成は、上述した各作用効果等を得るなどのために必要に応じて任意に組み合わせることができる。
【実施例】
【００３３】
以下、実施例のパネル部材について、図面を用いて説明する。なお、同一部材については同一の符号を用いて説明する。
【００３４】
（実施例１）
実施例１のパネル部材について、図１〜図６を用いて説明する。図１〜図６に示すように、本例のパネル部材１は、パネル表面部２１を備えるメインパネル部２の幅方向の一端に第１嵌合部３を、幅方向の他端に第２嵌合部４を有している。パネル部材１は、当該パネル部材１の第１嵌合部３を隣接するパネル部材１の第２嵌合部４と嵌合させることにより複数のパネル部材１を連結して幅広のパネル５を構成するために用いられるものである。
【００３５】
本例では、具体的には、パネル部材１は、アルミニウム合金素材を押出成形することにより製造されている。パネル部材１におけるメインパネル部２は、パネル表面部２１と離間して略平行に配置され、パネル表面部２１と表裏の対をなすパネル裏面部２２をさらに有しており、中空形状に形成されている。
【００３６】
パネル表面部２１とパネル裏面部２２との間は、複数のリブ２３によって連結されている。パネル表面部２１の表面におけるリブ２３に対応する部位には、リブ２３の形成に起因して生じるパネル色の変化を抑制するため、半円弧状の溝部２４が設けてある。本例のパネル部材１を複数連結して構成された幅広のパネル５は、冷凍庫を有するトラックにおける冷凍庫の床面パネルとして適用される。なお、パネル表面部２１が床面側（上方面側）とされ、パネル裏面部２２が冷凍庫を取り付けるトラックの根太側（下方面側）とされる。パネル部材１同士は、長手方向をトラックの前後方向と一致させた状態で互いに連結される。
【００３７】
図６に示すように、本例において、パネル部材１の幅ｗは２１８ｍｍ、長手方向の長さは３０００〜９５００ｍｍである（なお、図１における幅方向と長手方向の縮尺は正確なものではない）。メインパネル部２の厚みｔｍは９ｍｍ、パネル表面部２１の厚みｔｓは１．６ｍｍ、パネル裏面部２２の厚みｔｂは１．２ｍｍ、リブ２３の厚みｔｒは１．２ｍｍである。リブ２３のピッチｐは２０ｍｍである。半円弧状の溝部２４の深さは０．５ｍｍである。
【００３８】
パネル部材１において、第１嵌合部３は、パネル表面部２１の一端よりパネル表面部２１の延長線上に突出する表面側突片３１と、表面側突片３１の基端より部材厚み方向内方に延設された垂直壁３２と、垂直壁３２の途中より部材面方向外方に向かって表面側突片３１と略平行に突出する中間突片３６と、表面側突片３１および中間突片３６の先端よりも部材面方向外方に突出した状態で、表面側突片３１と中間突片３６とによって挟持されているシール材３３とを有している。
【００３９】
本例では、第１嵌合部３は、さらに、垂直壁３２の先端より部材面方向外方に向かって表面側突片３１と略平行に延設された裏面側延設片３４と、裏面側延設片３４より部材厚み方向内方に向かって延設された案内片３５とを有している。なお、裏面側延設片３４は、パネル裏面部２２の延長線上に延設されている。案内片３５は、裏面側延設片３４の先端における部材厚み方向内方側の面から部材厚み方向内方に延設されており、その先端における部材面方向内方側の面に後述する脚片４３の案内を促す傾斜面３５１を有している。傾斜面３５１は、具体的には、案内片３５の先端における部材面方向内方側の面に突出部３５２を形成し、案内片３５の先端に向かうにつれて突出部３５２の厚みを薄くすることによって形成されている。また、シール材３３は、表面側突片３１と中間突片３６との間に形成されたシール材受け空間３３３に保持される本体部３３１と、本体部３３１と連続して設けられ、表面側突片３１の先端および中間突片３６の先端よりも部材面方向外方に突出する凸部３３２とを有している。そして、シール材３３は、表面側突片３１の先端および中間突片３６の先端よりも部材面方向外方に凸部３３２が突出した状態で、表面側突片３１と中間突片３６とによって本体部３３１が挟持されることにより垂直壁３２に固定されている。
【００４０】
図６に示すように、本例において、表面側突片３１および中間突片３６の部材面方向外方への突出量ｔｏは、いずれも２ｍｍである。垂直壁３２の部材厚み方向の長さｌｖは、７．４ｍｍであり、厚みｔａは１．５ｍｍである。裏面側延設片３４の部材面方向の長さｗｂは２０ｍｍであり、厚みｔｃは１．５ｍｍである。案内片３５の部材厚み方向の長さｌｇは５．９ｍｍであり、厚みｔｇは１．３ｍｍである。
【００４１】
パネル部材１において、第２嵌合部４は、パネル表面部２１の他端よりパネル表面部２１の延長線上に延設されるとともに、嵌合時に、隣接する第１嵌合部３における表面側突片３１の先端にその先端が突き当てられる表面側延設片４１と、表面側延設片４１の先端より部材厚み方向内方に延設されるとともに、嵌合時に、隣接する第１嵌合部３におけるシール材３３を押圧する押圧片４２と、押圧片４２の先端に設けられるとともに、嵌合時に、隣接する第１嵌合部３における中間突片３６に係合する係合片４２１とを有している。
【００４２】
本例では、係合片４２１は、具体的には、押圧片４２の先端から部材面方向外方に傾斜した状態で突出しており、押圧片４２と係合片４２１とのそれぞれの軸線のなす角度は１１５°に設定してある。係合片４２１は、嵌合時に、中間突片３６と裏面側延設片３４との間の空間３７に入り込んだ状態で中間突片３６と係合する。また、押圧片４２における係合片４２１の基端までの部材厚み方向の長さは、部材面方向外方側の面にてシール材３３を十分に押圧できるように、上記固定された状態のシール材３３の部材厚み方向の長さに中間突片３６の厚みを加えた長さと同等に設定してある。
【００４３】
また、本例では、第２嵌合部４は、さらに、表面側延設片４１より部材厚み方向内方に向かって延設され、嵌合時に、部材面方向内方側の側面が案内片３５に当接しながら案内片３５によって案内される脚片４３を有している。脚片４３は、具体的には、部材厚み方向内方に向かうにつれ、脚片４３の基端における表面側延設片４１の垂線から先端が部材面方向外方側に離れるように湾曲して形成されている。本例における脚片４３は、より具体的には、押圧片４２の上端角部を中心とする円弧状に形成されている。
【００４４】
図６に示すように、本例において、表面側延設片４１の部材面方向の長さｌｓは２０ｍｍであり、厚みｔｄは１．６ｍｍである。押圧片４２における係合片４２１の基端までの部材厚み方向の長さｌｐは、５．５ｍｍであり、厚みｔｐは１．３ｍｍである。脚片４３の厚みｔｋは１．２ｍｍである。
【００４５】
次に、一方のパネル部材１の第１嵌合部３と隣接する他方のパネル部材１の第２嵌合部４とを嵌合させる手順の一例について、図５を用いて説明する。
【００４６】
図５に示すように、パネル表面部２１が水平になるように一方のパネル部材１を根太（不図示）に固定する。本例では、上記固定は、第１嵌合部３における裏面側延設片３４の幅方向中央に設けた螺子取付ライン３４１上の所定箇所に螺子３８をねじ込むことによって行う。なお、螺子穴からの漏水を防止するため、螺子穴はパッキン等によって防水処理することができる。
【００４７】
次いで、固定された一方のパネル部材１における第１嵌合部３の表面側突片３１の先端に、嵌合させるべき他方のパネル部材１における第２嵌合部４の表面側延設片４１の先端を斜めに突き当てる。この際、本例では、他方のパネル部材１の脚片４３は、一方のパネル部材１の案内片３５における部材面方向内方側に配置される。また、脚片４３の先端部における部材面方向内方側の側面は、案内片３５の傾斜面３５１に当接させる。
【００４８】
次いで、第１嵌合部３における表面側突片３１の先端に第２嵌合部４における表面側延設片４１の先端を当接させつつ、他方のパネル部材１におけるパネル表面部２１が一方のパネル部材１におけるパネル表面部２１の延長線上に配置されるように、他方のパネル部材１を半回転させる。上記半回転により、脚片４３の側面は、案内片３５に当接しながら滑りつつ案内片３５によって案内される。なお、上記半回転は、案内片３５の先端が、表面側延設片４１における部材厚み方向内方側の面に当接するまで行う。これにより、第２嵌合部４の押圧片４２を第１嵌合部３のシール材３３に押し付ける際の押圧力が生じる。つまり、本例では、案内片３５と脚片４３との摺接を利用し、上記押圧力を生じさせる。これにより、第２嵌合部４の押圧片４２によって第１嵌合部３のシール材３３が押圧され、第１嵌合部３の垂直壁３２と第２嵌合部４の押圧片４２との間にシール材３３が圧縮状態で挟持された状態となる。また、嵌合時には、第２嵌合部４における押圧片４２の先端に設けられた係合片４２１が、第１嵌合部３の中間突片３６に係合する。このような手順を順次繰り返すことにより、複数のパネル部材１を幅方向に連結して幅広のパネル５を構成することができる。
【００４９】
次に、本例のパネル部材の作用効果について説明する。
【００５０】
一方のパネル部材１の第１嵌合部３と隣接する他方のパネル部材１の第２嵌合部４とを嵌合させると、第１嵌合部３における表面側突片３１の先端に、隣接する第２嵌合部４における表面側延設片４１の先端が突き当てられ、表面側突片３１の先端と表面側延設片４１の先端とが互いに当接した状態となる。また、シール材３３は、表面側突片３１より部材厚み方向内方に配設されているので、上記当接した状態では、表面側突片３１の先端と表面側延設片４１の先端との当接部分よりも部材厚み方向内方に配置される。この際、表面側延設片４１の先端より部材厚み方向内方には、隣接する第１嵌合部３におけるシール材３３を押圧する押圧片４２が設けられている。そして、シール材３３は、垂直壁３２より部材面方向外方に配設されているので、押圧片４２によって押圧されると、第１嵌合部３における垂直壁３２と第２嵌合部４における押圧片４２との間に挟持された状態となる。つまり、パネル５を構成した場合、シール材３３は、第１嵌合部３と第２嵌合部４との嵌合部の内部に収容され、パネル面に露出しない。そのため、パネル部材１は、パネル５を構成した場合に、シール材３３が摩耗劣化したり、損傷したりするのを抑制することができる。また、シール材３３の摩耗劣化や損傷による嵌合部のがたつきも発生し難い。
【００５１】
また、パネル面に付着した水の浸入は、表面側突片３１の先端と表面側延設片４１の先端との当接部分からの毛細管現象によるごく僅かな量に留まる。そして、嵌合部の内部にあるシール材３３は、その僅かな量の水を止水するだけで足りる。つまり、パネル部材１は、シール材３３のみで止水しているのではなく、シール材３３は補完的な役割で足りる。このようにパネル部材１は、上述した表面側突片３１の先端と表面側延設片４１の先端との当接による防水効果と、シール材３３による防水効果との相乗効果により、高い防水性を発揮することができる。
【００５２】
また、パネル部材１は、表面側突片３１と中間突片３６との間にシール材３３が予め固定されているので、第１嵌合部３と第２嵌合部４との嵌合作業を行いやすい利点もある。また、シール材３３は、表面側突片３１および中間突片３６の先端よりも部材面方向外方に突出した状態で、表面側突片３１と中間突片３６とによって挟持されている。そのため、パネル部材１は、押圧片４２によってシール材３３を過度に押圧することなく適度な押圧力にてシール材３３を押圧することができる。それ故、パネル部材１は、嵌合後にシール材３３のヘタリが少なくなり、シール材３３の弾性力を長期にわたって維持しやすく、長期にわたって防水性を発揮するのに有利である。
【００５３】
また、嵌合時に、一方のパネル部材１における第１嵌合部３の中間突片３６と、隣接する他方のパネル部材１における第２嵌合部４の係合片４２１とが係合する。とりわけ、嵌合後、係合片４２１と繋がる押圧片４２が部材厚み方向に移動し難く、第１嵌合部３と第２嵌合部４との間の部材厚み方向のがたつきを抑制しやすくなる。そのため、パネル部材１は、パネル部材１間に隙間が生じ難い。また、パネル部材１は、振動によってパネル部材１間に擦り合う力が働き難く、当該部が摩耗してがたつきが大きくなるとともに嵌合が緩くなってシール性が低下するのを回避することができる。
【００５４】
よって、パネル部材１は、パネル５を構成した場合に、シール材３３の摩耗劣化や損傷を抑制することができ、高い防水性を発揮することが可能であり、パネル部材１間に隙間が生じ難く、振動によって嵌合部のシール性が低下し難い、強固な連結構造を構成することができる。
【００５５】
特に、本例では、パネル部材１は、嵌合時に、第２嵌合部４における脚片４３の側面が第１嵌合部３の案内片３５に当接しながら滑りつつ案内される。そのため、第２嵌合部４の押圧片４２を第１嵌合部３のシール材３３に押し付ける際の押圧力を容易に発生させることができる。それ故、パネル部材１は、第１嵌合部３と第２嵌合部４との嵌合部に積極的に押圧力を加えることができ、押圧片４２よるシール材３３の押圧と、表面側突片３１の先端と表面側延設片４１の先端との当接とを確実なものとすることができる。また、案内片３５と脚片４３との掛かり合いによって部材面方向の移動が規制されるので、第１嵌合部３と第２嵌合部４との間の部材面方向のがたつきを抑制することができる。
【００５６】
また、裏面側延設片３４より部材厚み方向内方に向かって案内片３５が延設されているので、万一、シール材３３が切れて水が浸入してきたとしても、浸入してきた水は案内片３５によって堰き止められる。それ故、パネル部材１は、パネル裏面側への水の漏洩を阻止しやすく、二次的防水の役割も果たすことができ、複数の防水構造により防水性をより高めることができる。
【００５７】
また、本例では、パネル部材１は、部材厚み方向内方に向かうにつれ、脚片４３の基端における表面側延設片４１の垂線から先端が離れるように湾曲している脚片４３を有している。そのため、パネル部材１は、脚片４３が案内片３５に滑りながら案内されやすく、第２嵌合部４の押圧片４２を第１嵌合部３のシール材３３に押し付ける際の押圧力を大きくしやすい利点がある。
【００５８】
また、メインパネル部２は、パネル表面部２１とパネル裏面部２２との間が複数のリブ２３によって連結されているので、メインパネル部２が補強され、メインパネル部２の面強度が向上する。そのため、本例のパネル部材１は、厚みを薄くしやすい。その故、トラック荷台の冷凍庫における床面パネル以外の部分の空間容積を大きくしやすく、荷空間の有効利用を図りやすい。
【００５９】
（実施例２）
実施例２のパネル部材について、図７、図８を用いて説明する。
【００６０】
本例のパネル部材１は、メインパネル部２が中空ではない点で実施例１のパネル部材１と相違し、その他の構成は、実施例１と同様である。
【００６１】
図７、図８に示すように、本例のパネル部材１において、メインパネル部２は、パネル表面部２１の裏面側に、実施例１におけるリブ２３に代えて、複数の脚部２５を有しており、パネル裏面部２２は有していない。脚部２５の先端には、部材面方向と平行に台部２５１が設けられている。脚部２５の先端は、台部２５１の幅方向中央に繋がっている。但し、第２嵌合部４側の脚部の先端は、部材面方向外方に台部２５１が突出しないように構成してある。
【００６２】
本例のパネル部材１は、メインパネル部２が中空でない（いわゆるソリッドタイプである）ので、押し出し成形しやすい利点がある。メインパネル部２による作用効果以外の作用効果は、実施例１と同様である。
【００６３】
以上、本発明の実施例について詳細に説明したが、本発明は上記実施例に限定されるものではなく、本発明の趣旨を損なわない範囲内で種々の変更が可能である。
【符号の説明】
【００６４】
１  パネル部材
２  メインパネル部
２１  パネル表面部
３  第１嵌合部
３１  表面側突片
３２  垂直壁
３３  シール材
３６  中間突片
４  第２嵌合部
４１  表面側延設片
４２  押圧片
４２１  係合片
５  パネル
【図１】
2015009782.tif 000003
【図２】
2015009782.tif 000004
【図３】
2015009782.tif 000005
【図４】
2015009782.tif 000006
【図５】
2015009782.tif 000007
【図６】
2015009782.tif 000008
【図７】
2015009782.tif 000009
【図８】
2015009782.tif 000010